(57)【要約】【課題】包装時において折り畳み状態が維持されやすく、使用時において容易に展開することが可能なパンツ型吸収性物品を提供する。【解決手段】上下方向と左右方向と前後方向とを有し、前記左右方向に沿い、胴回り開口の少なくとも一部を構成するベルト部（３２）と、前記上下方向に沿い、両端部が前記ベルト部（３２）に接続された吸収性本体（１０）と、備え、包装材で包装される際には、前記上下方向における所定の折り曲げ位置Ｆ２にて折り曲げられ、前記吸収性本体（１０）が、前記上下方向の下側から上側に向けて折り返されるパンツ型吸収性物品（１）であって、前記折り曲げ位置Ｆ２において、前記吸収性本体（１０）のうちの前記前後方向の一方側に位置する一方側部分（１０ｆ）と、前記吸収性本体のうちの前記前後方向の他方側に位置する他方側部分（１０ｂ）は、互いに剛性が異なる部分を有する。【選択図】図８
2018000592.tif 000002
【特許請求の範囲】
【請求項１】
互いに交差する上下方向と左右方向と前後方向とを有し、
前記左右方向に沿い、胴回り開口の少なくとも一部を構成するベルト部と、
前記上下方向に沿い、両端部が前記ベルト部に接続された吸収性本体と、
を備え、
包装材で包装される際には、前記上下方向における所定の折り曲げ位置にて折り曲げられ、前記吸収性本体が、前記上下方向の下側から上側に向けて折り返されるパンツ型吸収性物品であって、
前記折り曲げ位置において、前記吸収性本体のうちの前記前後方向の一方側に位置する一方側部分と、前記吸収性本体のうちの前記前後方向の他方側に位置する他方側部分は、互いに剛性が異なる部分を有する、ことを特徴とするパンツ型吸収性物品。
【請求項２】
請求項１に記載のパンツ型吸収性物品あって、
前記ベルト部の前記左右方向における両側端が、前記左右方向の内側に折り返されており、
前記折り曲げ位置は、前記上下方向において、前記両側端の下端よりも下側に設けられている、ことを特徴とするパンツ型吸収性物品。
【請求項３】
請求項２に記載のパンツ型吸収性物品あって、
前記ベルト部の前記両側端が、前記吸収性本体の肌側に位置するように折り返されている、ことを特徴とするパンツ型吸収性物品。
【請求項４】
請求項１〜３のいずれかに記載のパンツ型吸収性物品あって、
前記折り曲げ位置において、
前記吸収性本体の前記左右方向の端部における剛性は、前記吸収性本体の前記端部以外の部分における剛性よりも高い、ことを特徴とするパンツ型吸収性物品。
【請求項５】
請求項４に記載のパンツ型吸収性物品あって、
前記折り曲げ位置において、
前記吸収性本体の前記左右方向の両端部における剛性は、前記両端部の間の部分における剛性よりも高い、ことを特徴とするパンツ型吸収性物品。
【請求項６】
請求項１〜５のいずれかに記載のパンツ型吸収性物品あって、
前記折り曲げ位置において、
前記吸収性本体のうちの前記前後方向の前側に位置する前側部分の剛性が、前記吸収性本体のうちの前記前後方向の後側に位置する後側部分の剛性よりも低く、
前記前側部分が前記後側部分の内側になるように、前記吸収性本体が折り曲げられる、ことを特徴とするパンツ型吸収性物品。
【請求項７】
請求項１〜６のいずれかに記載のパンツ型吸収性物品あって、
前記上下方向に折り返される折り返し部と、折り返されない非折り返し部との境界に位置し、前記折り曲げ位置を含み、前記吸収性本体の長手方向に所定の幅を有する領域である境界領域が設けられており、
前記吸収性本体は、高剛性部と、前記高剛性部よりも剛性が低い低剛性部とを有し、
前記長手方向における前記高剛性部と前記低剛性部との境界が、前記境界領域に含まれている、ことを特徴とするパンツ型吸収性物品。
【請求項８】
請求項１〜７のいずれかに記載のパンツ型吸収性物品あって、
前記吸収性本体の前記左右方向の両端部に、前記吸収性本体の長手方向に沿った弾性部材を備え、
前記長手方向の中央よりも前側において伸縮性を発現している前記弾性部材の長さと、
前記長手方向の中央よりも後側において伸縮性を発現している前記弾性部材の長さと、が異なる、ことを特徴とするパンツ型吸収性物品。
【請求項９】
請求項１〜８のいずれかに記載のパンツ型吸収性物品あって、
包装材で包装された状態で、前記上下方向において、前記胴回り開口の位置する開口側と、前記開口側とは反対側の反開口側を有し、
前記吸収性本体の長手方向の一端部は、一対の第１接続部によって前記ベルト部に接続されており、
前記吸収性本体の長手方向の他端部は、一対の第２接続部によって前記ベルト部に接続されており、
前記一対の第１接続部は、前記開口側から前記反開口側に向けて前記左右方向の外側に傾斜しており、
前記一対の第２接続部は、前記開口側から前記反開口側に向けて前記左右方向の外側に傾斜しており、
前記第１接続部が前記左右方向の外側に傾斜する角度と、前記第２接続部が前記左右方向の外側に傾斜する角度が異なっている、ことを特徴とするパンツ型吸収性物品。
【請求項１０】
請求項１〜９のいずれかに記載のパンツ型吸収性物品あって、
包装材で包装された状態で、前記上下方向において、前記胴回り開口の位置する開口側と、前記開口側とは反対側の反開口側を有し、
前記吸収性本体の長手方向の一端部は、一対の第１接続部によって前記ベルト部に接続されており、
前記吸収性本体の長手方向の他端部は、一対の第２接続部によって前記ベルト部に接続されており、
前記一対の第１接続部は、前記開口側から前記反開口側に向けて前記左右方向の外側に傾斜しており、
前記一対の第２接続部は、前記開口側から前記反開口側に向けて前記左右方向の外側に傾斜しており、
前記ベルト部は、前記左右方向に伸縮性を有しており、
前記吸収性本体の前記一端部及び前記他端部は、前記左右方向に伸縮性を有していない、ことを特徴とするパンツ型吸収性物品。
【発明の詳細な説明】
【技術分野】
【０００１】
本発明は、パンツ型吸収性物品に関する。
【背景技術】
【０００２】
従来、パンツ型の使い捨ておむつのような吸収性物品が知られている。特許文献１には、胴回り部を構成している前側部１２と後側部１４の第１部分２６（左右方向の一方側）と、第３部分（左右方向の他方側）３０を左右方向に折り畳み、更に境界線２４で上下方向に折り畳んでコンパクトな折り畳み状態の吸収性物品１０が開示されている。
【先行技術文献】
【特許文献】
【０００３】
【特許文献１】米国特許第６７０２７９８号
【発明の概要】
【発明が解決しようとする課題】
【０００４】
特許文献１のパンツ型吸収性物品（おむつ）を上下方向に折り畳む際に、おむつと共に吸収性本体も上下方向に折り曲げられる。このとき、吸収体の剛性が高い場合には、吸収性本体に折り目（折り癖）が付きにくく折り曲げ前の平面状態に戻りやすいため、包装時においておむつの折り畳み形状が維持されにくくなり、おむつをコンパクトに包装することが難しい。一方、吸収体の剛性が低い場合には、吸収性本体に折り癖が付きやすく折り曲げ状態が維持されやすいため、おむつを使用する際に、折り畳み状態から展開するのが困難になるおそれがある。
【０００５】
本発明は、上記のような問題に鑑みてなされたものであって、その目的とするところは、包装時において折り畳み状態が維持されやすく、使用時において容易に展開することが可能なパンツ型吸収性物品を提供することにある。
【課題を解決するための手段】
【０００６】
上記目的を達成するための主たる発明は、互いに交差する上下方向と左右方向と前後方向とを有し、前記左右方向に沿い、胴回り開口の少なくとも一部を構成するベルト部と、前記上下方向に沿い、両端部が前記ベルト部に接続された吸収性本体と、備え、包装材で包装される際には、前記上下方向における所定の折り曲げ位置にて折り曲げられ、前記吸収性本体が、前記上下方向の下側から上側に向けて折り返されるパンツ型吸収性物品であって、前記折り曲げ位置において、前記吸収性本体のうちの前記前後方向の一方側に位置する一方側部分と、前記吸収性本体のうちの前記前後方向の他方側に位置する他方側部分は、互いに剛性が異なる部分を有する、ことを特徴とするパンツ型吸収性物品である。
本発明の他の特徴については、本明細書及び添付図面の記載により明らかにする。
【発明の効果】
【０００７】
本発明によれば、包装時において折り畳み状態が維持されやすく、使用時には折り畳み状態から容易に展開することが可能なパンツ型吸収性物品を提供することができる。
【図面の簡単な説明】
【０００８】
【図１】図１は、おむつ１を腹側から見た概略正面図である。
【図２】図２Ａは、吸収性本体１０及びベルト部３２を長手方向に伸長させた状態のおむつ１の平面図である。図２Ｂは、図２Ａの状態のおむつ１のＢ−Ｂ断面図である。
【図３】図３Ａは、図２Ａの第１接続部ｊｆ及び第２接続部ｊｂを分離して展開したおむつ１の平面図である。図３Ｂは、図３Ａの状態のおむつ１の断面図である。
【図４】図４Ａは、包装前のおむつ１の平面模式図であり、図４Ｂは、図４Ａの状態からベルト部３２を折り返した状態のおむつ１の平面模式図であり、図４Ｃは、図４Ｂの状態から吸収性本体１０を折り返した状態のおむつ１の平面模式図である。
【図５】包装状態から取り出して所定時間経過後のおむつ１について説明する図である。
【図６】図４Ｂの状態のおむつ１について説明する図である。
【図７】展開状態のおむつ１について、吸収性本体１０と折り曲げ位置との関係について説明する図である。
【図８】図４ＣのＣ−Ｃ断面について表した概略断面図である。
【発明を実施するための形態】
【０００９】
本明細書及び添付図面の記載により、少なくとも以下の事項が明らかとなる。
【００１０】
互いに交差する上下方向と左右方向と前後方向とを有し、前記左右方向に沿い、胴回り開口の少なくとも一部を構成するベルト部と、前記上下方向に沿い、両端部が前記ベルト部に接続された吸収性本体と、備え、包装材で包装される際には、前記上下方向における所定の折り曲げ位置にて折り曲げられ、前記吸収性本体が、前記上下方向の下側から上側に向けて折り返されるパンツ型吸収性物品であって、前記折り曲げ位置において、前記吸収性本体のうちの前記前後方向の一方側に位置する一方側部分と、前記吸収性本体のうちの前記前後方向の他方側に位置する他方側部分は、互いに剛性が異なる部分を有する、ことを特徴とするパンツ型吸収性物品。
【００１１】
このようなパンツ型吸収性物品によれば、吸収性本体の一方側部分と他方側部分とのうち、剛性が低い方では、折り目が付きやすく折れ曲がり状態が維持されやすくなる。一方、剛性が高い方では、折り曲げ位置において折り目が付きにくく折れ曲がり状態から平面状態に戻りやすくなる。これにより、折り曲げ部において一方側部分と他方側部分とで剛性の差が無いおむつと比較して、包装時においては折り畳み状態が維持されやすく、使用時においては折り畳み状態から展開しやすいパンツ型吸収性物品を実現することができる。
【００１２】
かかるパンツ型吸収性物品であって、前記ベルト部の前記左右方向における両側端が、前記左右方向の内側に折り返されており、前記折り曲げ位置は、前記上下方向において、前記両側端の下端よりも下側に設けられている、ことが望ましい。
【００１３】
このようなパンツ型吸収性物品によれば、吸収性本体を折り曲げ位置にて折り返す際に、吸収性本体と一緒にベルト部が上下方向に折り返されてしまうことが抑制される。したがって、折り曲げ部において折り曲げられる部材の数が少なくなり、パンツ型吸収性物品の折り畳み状態が維持されやすくなり、よりコンパクトな包装状態を維持することができる。
【００１４】
かかるパンツ型吸収性物品であって、前記ベルト部の前記両側端が、前記吸収性本体の肌側に位置するように折り返されている、ことが望ましい。
【００１５】
このようなパンツ型吸収性物品によれば、包装材からパンツ型吸収性物品を取り出して着用しようとする際には、吸収性本体の肌側に位置するベルト部の厚みによって、胴回り開口の腹側部分と背側部分とが離間した状態となり、離間した胴回り開口を基点として、胴回り開口の腹側部分又は背側部分を掴みやすくなるため、パンツ型吸収性物品を着用状態に広げやすくなる。
【００１６】
かかるパンツ型吸収性物品であって、前記折り曲げ位置において、前記吸収性本体の前記左右方向の端部における剛性は、前記吸収性本体の前記端部以外の部分における剛性よりも高い、ことが望ましい。
【００１７】
このようなパンツ型吸収性物品によれば、吸収性本体の左右方向の端部にのみ剛性の高い領域（高剛性領域）が形成されるようにすることで、着用時おいて着用者の肌と高剛性領域との接触面積がなるべく小さくなるようすることができる。これにより、着用者に不快感を生じさせにくくすることができる。
【００１８】
かかるパンツ型吸収性物品であって、前記折り曲げ位置において、
前記吸収性本体の前記左右方向の両端部における剛性は、前記両端部の間の部分における剛性よりも高い、ことが望ましい。
【００１９】
このようなパンツ型吸収性物品によれば、高剛性領域が左右方向の両端部に設けられることで、折り曲げ位置において、吸収性本体が安定して折れ曲がりやすくなるようにすることができる。さらに、左右方向の中央部が低剛性領域となっていることにより、当該中央部では、着用時における肌触りを良好にすると共に、吸収性本体による吸水性能を維持しやすくなる。
【００２０】
かかるパンツ型吸収性物品であって、前記折り曲げ位置において、前記吸収性本体のうちの前記前後方向の前側に位置する前側部分の剛性が、前記吸収性本体のうちの前記前後方向の後側に位置する後側部分の剛性よりも低く、前記前側部分が前記後側部分の内側になるように、前記吸収性本体が折り曲げられる、ことが望ましい。
【００２１】
このようなパンツ型吸収性物品によれば、折り曲げ位置において、剛性の低い前側部分が、剛性の高い後側部分よりも曲がりやすくなる。また、吸収性本体のように所定の厚さを有する部材を折り曲げる際には、折り曲げ位置の内側の曲率が外側の曲率よりも大きくなる。そのため、剛性の低い前側部分が内側に配置されていることによって、当該前側部分が大きな曲率で曲がることにより、自然な折れ曲がり形状を形成しやすくなる。
【００２２】
かかるパンツ型吸収性物品であって、前記上下方向に折り返される折り返し部と、折り返されない非折り返し部との境界に位置し、前記折り曲げ位置を含み、前記吸収性本体の長手方向に所定の幅を有する領域である境界領域が設けられており、前記吸収性本体は、高剛性部と、前記高剛性部よりも剛性が低い低剛性部とを有し、前記長手方向における前記高剛性部と前記低剛性部との境界が、前記境界領域に含まれている、ことが望ましい。
【００２３】
このようなパンツ型吸収性物品によれば、高剛性部と低剛性部との境界で吸収体の剛性が大きく変化することから、当該境界において吸収体が上下方向に折れ曲がる際の折れ曲がり基点が形成されやすくなる。したがって、境界領域中に折れ曲がり基点が形成されることにより、吸収性本体がより折れ曲がりやすくなる。これにより、パンツ型吸収性物品の折り畳み状態が維持されやすくなり、よりコンパクトな包装状態を維持することができる。
【００２４】
かかるパンツ型吸収性物品であって、前記吸収性本体の前記左右方向の両端部に、前記吸収性本体の長手方向に沿った弾性部材を備え、前記長手方向の中央よりも前側において伸縮性を発現している前記弾性部材の長さと、前記長手方向の中央よりも後側において伸縮性を発現している前記弾性部材の長さと、が異なる、ことが望ましい。
【００２５】
このようなパンツ型吸収性物品によれば、前記長手方向の中央位置の前後でパンツ型吸収性物品の長手方向における収縮寸法が異なるようになり、パンツ型の状態において、吸収性本体の長手方向の腹側の端と背側の端との位置が上下にずれやすくなる。すなわち、パンツ型吸収性物品の上端の位置が背側と腹側とでずれるため、パンツ型吸収性物品を着用する際に胴回り開口を前後に開きやすくなる。
【００２６】
かかるパンツ型吸収性物品であって、包装材で包装された状態で、前記上下方向において、前記胴回り開口の位置する開口側と、前記開口側とは反対側の反開口側を有し、前記吸収性本体の長手方向の一端部は、一対の第１接続部によって前記ベルト部に接続されており、前記吸収性本体の長手方向の他端部は、一対の第２接続部によって前記ベルト部に接続されており、前記一対の第１接続部は、前記開口側から前記反開口側に向けて前記左右方向の外側に傾斜しており、前記一対の第２接続部は、前記開口側から前記反開口側に向けて前記左右方向の外側に傾斜しており、前記第１接続部が前記左右方向の外側に傾斜する角度と、前記第２接続部が前記左右方向の外側に傾斜する角度が異なっている、ことが望ましい。
【００２７】
このようなパンツ型吸収性物品によれば、包装材から吸収性物品を取り出した直後の状態において、パンツ型吸収性物品の一端部と他端部の形状が異なっていることを視認することができ、パンツ型吸収性物品を着用状態に広げるための基点を認識しやすくなる。
【００２８】
かかるパンツ型吸収性物品であって、包装材で包装された状態で、前記上下方向において、前記胴回り開口の位置する開口側と、前記開口側とは反対側の反開口側を有し、前記吸収性本体の長手方向の一端部は、一対の第１接続部によって前記ベルト部に接続されており、前記吸収性本体の長手方向の他端部は、一対の第２接続部によって前記ベルト部に接続されており、前記一対の第１接続部は、前記開口側から前記反開口側に向けて前記左右方向の外側に傾斜しており、前記一対の第２接続部は、前記開口側から前記反開口側に向けて前記左右方向の外側に傾斜しており、前記ベルト部は、前記左右方向に伸縮性を有しており、前記吸収性本体の前記一端部及び前記他端部は、前記左右方向に伸縮性を有していない、ことが望ましい。
【００２９】
このようなパンツ型吸収性物品によれば、性状が異なる伸縮性を有するベルト部と伸縮性を有しない吸収性本体とを認識しやすくなる。
【００３０】
＝＝＝実施形態＝＝＝
＜おむつ１の基本構成＞
本実施形態で扱う吸収性物品の一例として、パンツ型使い捨ておむつ１（以下、「おむつ１」とも呼ぶ）の基本的な構成について説明する。図１は、おむつ１を腹側から見た概略正面図である。図２Ａは、吸収性本体１０及びベルト部３２を長手方向に伸長させた状態のおむつ１の平面図である。図２Ｂは、図２Ａの状態のおむつ１のＢ−Ｂ断面図である。図３Ａは、図２Ａの第１接続部ｊｆ及び第２接続部ｊｂを分離して展開したおむつ１の平面図である。図３Ｂは、図３Ａの状態のおむつ１の断面図である。
【００３１】
おむつ１は、着用時において図１に示すようなパンツ型の状態となる。パンツ型状態のおむつ１は、互いに直交する「上下方向」と「左右方向」と「前後方向」を有する。なお、上下方向のうち着用者の胴回り側を「胴回り開口側」又は「開口側」とし、着用者の股下側を「股下側」とする。また、前後方向のうち着用者の腹側を「前側」又は「腹側」とし、着用者の背側を「後側」又は「背側」とする。
【００３２】
おむつ１は、胴回り開口ＢＨと、一対の脚回り開口部ＬＨと、上下方向に沿った吸収性本体１０、一対のレッグギャザー部３７と、左右方向に沿った一対のベルト部３２とを有する。
【００３３】
吸収性本体１０の長手方向（上下方向）の各端部１０ｅＬｆ、１０ｅＬｂと、左右方向の両側にそれぞれ配された各ベルト部３２、３２とが第１接続部ｊｆ及び第２接続部ｊｂでそれぞれ接続されている。おむつ１の腹側は、吸収性本体１０の端部１０ｅＬｆとベルト部３２が、胴回り開口ＢＨから脚回り開口ＬＨに向かって、左右方向の外側に傾斜した一対の第１接続部ｊｆによって接続されている。同様に、背側は、吸収性本体１０の端部１０ｅＬｂとベルト部３２が、胴回り開口ＢＨから脚回り開口ＬＨに向かって、左右方向の外側に傾斜した一対の第２接続部ｊｂによって接続されている。また、レッグギャザー部３７、３７の腹側の端部３７ｅＬｆとベルト部３２が第１接続部ｊｆで接続されており、背側の端部３７ｅＬｂとベルト部３２が第２接続部ｊｂで接続されている。第１接続部ｊｆ及び第２接続部ｊｂでの接続方法としては、例えば、接着剤、ヒートシール、超音波シール、これらの組み合わせ等、公知の接続方法を例示できる。
【００３４】
おむつ１の胴回り開口ＢＨの端（開口側の端）は、吸収性本体１０の腹側の端１０ｅｆと背側の端１０ｅｂ、及び各ベルト部の端３２ｅｗから構成されている。吸収性本体の端１０ｅｆ、端１０ｅｂは、それぞれ左右方向における中央部に設けられている。
【００３５】
おむつ１の各ベルト部３２、３２には、それぞれ、左右方向に沿った複数の糸ゴム３３、３３・・・が上下方向に並んで配置され（図１参照）、ベルト部３２に左右方向への伸縮性を付与し、胴回り開口ＢＨにフィット性を付与している。また、各レッグギャザー部３７、３７は吸収性本体１０の左右方向の両側に設けられている。各レッグギャザー部３７は、それぞれ、吸収性本体１０の長手方向に沿った弾性部材である糸ゴム３８、３８が左右方向に複数並んで配置されており、レッグギャザー部３７に長手方向への伸縮性を付与し、脚回り開口ＬＨにフィット性を付与している。
【００３６】
おむつ１は、製造過程の最終段階では、図２Ａに示されるような平面状態である。平面状態のおむつ１は、互いに直交する三方向として、「長手方向」と「左右方向」と「厚さ方向」を有している。この長手方向は、吸収性本体１０の長手方向に沿った方向であり、パンツ型状態（図１）での上下方向に対応する方向である。なお、図２Ａの「おむつ１を長手方向に伸長させた状態」とは、糸ゴム３３，３８等、長手方向に配置された弾性部材による収縮力に抗しておむつ１を長手方向に伸長させた場合に、各糸ゴム３３，３８が配置されている部分において実質的に皺やギャザーが視認できなくなる程度まで伸長した状態のことを言う。したがって、長手方向に伸長した状態におけるおむつ１の形状は、各弾性部材による収縮力が発現していない状態において平坦に延びているおむつ１の形状と同じである。
【００３７】
図２Ａに示す平面状態のおむつ１では、吸収性本体１０と一対のレッグギャザー部３７と一対のベルト部３２の各長手方向が揃い、吸収性本体１０及び一対のレッグギャザー３７の肌面側に一対のベルト部３２が重なると共に、一対のレッグギャザー部３７及び一対のベルト部３２が長手方向に伸長されている。平面状態のおむつ１の各ベルト部３２の各左右方向の内側の内側端３２ｅｗを左右方向の外側に開き、各ベルト部３２をそれぞれ長手方向の中央部で二つ折りしつつ、吸収性本体１０及びレッグギャザー３７をそれぞれおむつ１の長手方向の中央部で二つ折りすることで、パンツ型状態のおむつ１（図１）になる。おむつ１の長手方向の中央部は、着用時に股間に配される領域である。また、吸収性本体１０の長手方向の中央部は、図２Ａの中央位置ＣＬＬ１０であり、パンツ型状態における、最も股下側に位置する部分である。
【００３８】
図２Ａに示すように、吸収性本体１０は、長手方向に沿った略矩形の部材（図３Ａ）が第１接続部ｊｆ、第２接続部ｊｂに沿って切断され、長手方向の各端部１０ｅＬｆ、１０ｅＬｂがそれぞれ平面視略Ｖ字形に先細った形状のシート部材である。図２Ｂに示すように、吸収性本体１０は、厚さ方向の肌側から順に、不織布等からなる液透過性のトップシート１２と、吸収体１１と、ポリエチレンフィルムやポリプロピレンフィルム等からなる液不透過性のバックシート１４と、不織布等の外装シート１６とが重ねられている。
【００３９】
おむつ１の第１接続部ｊｆの左右方向の外側に傾斜する角度θｆ、つまり、第１接続部ｊｆと左右方向に沿った直線とがなす角度のうち、小さい方の角度θｆは、第２接続部ｊｂの左右方向の外側に傾斜する角度θｂ、つまり、第２接続部ｊｂと左右方向に沿った直線とがなす角度のうち小さい方の角度θｂより大きい。本実施形態においては、角度θｆは４０度であり、角度θｂは３４度である。この角度θｆと角度θｂは、平面状態におけるおむつ１（図２Ａ）とパンツ型状態のおむつ１（図１）でもほぼ変わらない。
【００４０】
吸収体１１は、液体を吸収する吸収性コア１５と、吸収性コア１５の外周面を被覆するコアラップシート（不図示）とを備えている。吸収性コア１５は、液体吸収性素材を所定の形状に成形したものであり、本実施形態では、長手方向の両端部が湾曲した楕円形状である。液体吸収性素材としては、パルプ繊維等の液体吸収性繊維や、高吸収性ポリマー（所謂ＳＡＰ）等を例示できる。コアラップシートとしては、ティッシュペーパーや不織布等の液透過性シートを例示できる。なお、吸収性コア１５がコアラップシートに被覆されていなくてもよい。
【００４１】
また、本実施形態のおむつ１において、吸収体１１（吸収性コア１５）の長手方向の各端部はプレス加工等を施されることによって、他の領域よりも剛性が高くなっている。図３Ａでは、吸収体１１（吸収性コア１５）のうち網掛けで示される領域である高剛性領域１１ｈｒの剛性が、網掛けされていない領域である低剛性領域１１ｌｒよりも剛性が高くなっている。おむつ１では、吸収性本体１０（吸収体１１）の長手方向の端部領域にベルト部３２が接合されるため、おむつ１着用時にベルト部３２が引っ張られること等によって吸収体１１が変形してしまうおそれがある。そこで、ベルト部３２が接合される領域である長手方向の端部付近に高剛性領域１１ｈｒを設けることにより、吸収体１１が変形してしまうことを抑制することができる。
【００４２】
ここで、「剛性」とは、吸収体１１等のシート部材が外力を受けた場合の変形のしやすさのことを言う、剛性の高低を比較するための剛性値としては、例えば、ガーレー剛軟度によって測定された値をサンプル片の長さで割った値を例示できる。ガーレー剛軟度の測定は、(株)安田精機製作所製のＮｏ３１１のガーレー式柔軟度試験機を用いて、ＪＩＳ−Ｌ１０９６に準拠して測定することが可能である。
【００４３】
また、おむつ１では、吸収性コア１５の長手方向の中央位置ＣＬＬ１５と吸収性本体１０の長手方向の中央位置ＣＬＬ１０とが互いにずれて配置されている。図３Ａでは、吸収性コア１５の長手方向の中央位置ＣＬＬ１５が、吸収性本体１０の長手方向の中央位置ＣＬＬ１０よりも腹側（前側）に位置している。すなわち、吸収性コア１５は長手方向（縦方向）において、腹側にずれて配置されている。したがって、着用者がおむつ１を着用した際には、腹側に配置されている吸収性コア１５の面積が広くなる。これにより、尿が排泄された際に、腹側において尿を吸収しやすくなり、尿がおむつ１の外部に漏出することを効果的に抑制することができる。
【００４４】
ベルト部３２及びレッグギャザー部３７は、同一のシート部材３０で形成される。図３Ａ及び図３Ｂに示すように、吸収性本体１０の左右方向の両側には、それぞれシート部材３０、３０が配置されている。シート部材３０は、例えば不織布等の柔軟なシート３０ａ、３０ａを厚さ方向に２枚重ね、シート３０ａ同士の間に糸ゴム３３、３８が長手方向に伸長された状態で固定されたものである。各シート部材３０、３０の左右方向の内側の端部３０ｅＷ、３０ｅＷは、吸収性本体１０を構成するトップシート１２とバックシート１４、外装シート１６との間に介挿されて、トップシート１２とバックシート１４、外装シート１６に接着剤等により接合されている。また、図３Ｂに示すように、シート部材３０のうち、ベルト部３２となる部分とレッグギャザー部３７となる部分との間には、長手方向に沿った折り返し線ＦＬが設定されている。各シート部材３０は、それぞれ折り返し線ＦＬを左右方向に跨ぐように脚回り開口部ＬＨが厚さ方向に貫通されている。よって、折り返し線ＦＬでシート部材３０を左右方向の内側に折り返すことによって、ベルト部３２とレッグギャザー部３７が形成される。そして、第１接合部ｊｆ、ｊｆ及び第２接合部ｊｂ、ｊｂで、吸収性本体１０の端部１０ｅＬｆ、１０ｅＬｂ及びレッグギャザー部３７の端部３７ｅＬｆ、３７ｅＬｂとベルト部３２の左右方向の端部３２ｅＬｆ、３２ｅＬｂとを接続して、図２Ａに示す平面状態のおむつ１が形成される。
【００４５】
また、図２Ｂ及び図３Ｂに示すように、ベルト部３２の左右方向外側の端部領域には、シート部材３０の一部を左右方向の内側に２回折り返し、ホットメルト接着剤等で折り返し状態に固定した折り返し部ＦＬＢが設けられている。この折り返し部ＦＬＢは、パンツ型状態のおむつ１において、ベルト部３２の開口側の端部に位置しており、胴回り開口部ＨＢの一部を形成し、着用者の胴回りにおける締め付け過ぎ等によるストレスを緩和させる。
【００４６】
＜包装状態におけるおむつ１＞
続いて、包装状態におけるおむつ１について説明する。おむつ１は、所定回数折り返され、厚さ方向に複数個並べた状態で、包装材（不図示）に収容されて、商品として市場に流通される。包装材は、例えば、ポリプロピレン等の柔軟なシート状の素材により形成され、おむつ１の形状や収容数に応じて適宜形状を変更することができる。
【００４７】
図４Ａは、包装前のおむつ１の平面模式図であり、図４Ｂは、図４Ａの状態からベルト部３２を折り返した状態のおむつ１の平面模式図であり、図４Ｃは、図４Ｂの状態から吸収性本体１０を折り返した状態のおむつ１の平面模式図である。図５は、包装状態から取り出して所定時間経過後のおむつ１について説明する図である。図６は、図４Ｂの状態のおむつ１について説明する図である。
【００４８】
図４Ａに示すように、包装材に収容される前のおむつ１は、図１と同様にパンツ型状態である。まず、図４Ａのパンツ型状態のおむつ１のベルト部３２の側端３２ｅｓを、吸収性本体１０の肌側に位置するように、折り返し線Ｆ１で折り返す。つまり、ベルト部３２の側端３２ｅｓが胴回り開口ＢＨの内側に位置するように、ベルト部３２を折り込む。本実施形態においては、側端３２ｅｓが、端３２ｅｗ及び端１０ｅｆ、１０ｅｂより股下側に位置するように折り返している。
【００４９】
本実施形態における折り返し線Ｆ１は、ベルト部の側端３２ｅｓを左右方向の内側に位置するように折り込んだ結果、ベルト部３２の輪郭を成す線となっている。折り返し線Ｆ１は、第１接合部ｊｆ及び第２接合部ｊｂより左右方向の外側に設けられている。ベルト部３２の側端３２ｅｓを折り返すことで、図４Ｂの状態となる。
【００５０】
図４Ｂ及び図６に示すように、左右方向における一方側（図４Ａにおける左側）の側端３２ｅｓは、他方側（図４Ａにおける右側）のベルト部３２の折り返された部分に重ねられている。同様に、左右方向における他方側（図４Ａにおける右側）の側端３２ｅｓは、一方側（図４Ａにおける左側）のベルト部３２の折り返された部分に重ねられている。つまり、折り返されたベルト部３２同士が厚さ方向に重なった重畳部Ｐ（図４Ｂ及び図６における左斜め下がり斜線部）が形成されている。
【００５１】
続いて、図４Ｂに示す状態から、折り返し線Ｆ２にておむつ１を上下方向に折り返す。この折り返し線Ｆ２は上下方向の所定の位置において、おむつ１を折り曲げるための「折り曲げ位置」に相当する。すなわち、おむつ１が包装材で包装される際には、当該折り曲げ位置にておむつ１が折り曲げられ、吸収性本体１０が上下方向の下側から上側に向けて折り返される。
【００５２】
また、吸収性本体１０（おむつ１）は所定の厚みを有していることから、該吸収性本体１０を折り曲げ位置（折り返し線Ｆ２）にて折り曲げる際には、吸収性本体１０の長手方向に所定の幅を有する領域である境界領域Ｂが折れ曲がることになる。この境界領域Ｂは、折り返し線Ｆ２を基準線としておむつ１を上下方向に折り返すことによって複数の皺が形成される領域である。また、境界領域Ｂは、おむつ１を上下方向に折り返す折り返し部Ｔ（図６における股下側の部分）と、折り返されない非折り返し部Ｕ（図６における開口側の部分）との境界に位置する領域でもある。本実施形態において、境界領域Ｂは、ベルト部３２よりも股下側に位置し、図６ではベルト部３２の側端３２ｅｓの股下側の端（非開口側の端）と境界領域Ｂとが接している。
【００５３】
折り畳まれた状態のおむつ１は、図４Ｃに示されるように、図４Ｂの状態のおむつ１の約半分の大きさとなる。以下、折り曲げ位置（折り返し線Ｆ２）で折り返すことによって、胴回り開口ＢＨ及びおむつ１の股下側に該当する部分の側を「開口側」とし、折り曲げ位置（折り返し線Ｆ２）側を「反開口側」とする。なお、図４Ｃでは、折り返し部Ｔ側からおむつ１を視認したものであり、パンツ型状態におけるおむつ１の股下側の領域を視認することができる。
【００５４】
図４Ｃに示される折り畳み状態のおむつ１を折り返し部Ｔ側又は非折り返し部Ｕ側に所定数（例えば、１０個）だけ積層し、包装材に収容して、商品として市場に流通させる。
【００５５】
図５は、包装材に収容された状態のおむつ１を、包装材から取り出し、所定時間（例えば、１５分程度）経過したときのおむつ１を開口側から見たものである。おむつ１は、圧縮された状態で収容されることが通常であり、図５に示すおむつ１の状態の１／３〜１／４の厚さとなるように圧縮される。
【００５６】
図５に示すように、各ベルト部３２の側端３２ｅｓを吸収性本体１０の肌側に位置するように折り返すことによって、胴回り開口ＢＨの内側で、一方側のベルト部３２と他方側のベルト部が折り重なった状態となる。このとき、包装状態のおむつ１のベルト部３２の横方向の端部は、腹側の横端部と背側の横端部の２つを有している。なお、ベルト部３２の折り返された部分と折り返されていない部分の境界部に、各横端部の横方向の外側の端に位置する各横端３２ｅｆ、３２ｅｆ、３２ｅｂ、３２ｅｂが設けられており、一方側と他方側の各横端が、二対の境界線となっている。一方側の一対の横端３２ｅｆ、３２ｅｂ、及び他方側の一対の横端３２ｅｆ、３２ｅｂのうち、それぞれ、より外側に位置する方の横端が折り返し線Ｆ１であり、おむつ１のベルト部３２の輪郭となる。また、胴回り開口ＢＨは、糸ゴム３３を備えるベルト部３２の開口側の端３２ｅｗと、吸収性本体１０の開口側の端１０ｅｆ、１０ｅｂとで構成されている。図５において、ベルト部３２の開口側の端３２ｅｗを斜線で示している。胴回り開口ＢＨは、伸縮可能な端３２ｅｗと、非伸縮の端１０ｅｆ、１０ｅｂから成り、伸縮可能なベルト部３２の一部が横方向に折り返されており、伸縮しない吸収性本体１０は横方向に折り返されていない。
【００５７】
＜吸収性本体１０の折り曲げについて＞
図７は、展開状態のおむつ１について、吸収性本体１０と折り曲げ位置との関係について説明する図である。図８は、図４ＣのＣ−Ｃ断面について表した概略断面図である。Ｃ−Ｃ断面の横方向における位置は、図７において（Ｃ）−（Ｃ）で表される位置である。
【００５８】
図４Ａ〜４Ｃで説明したように、おむつ１は、折り返し線Ｆ１、及びＦ２にて折り返されることにより、図８のように折り畳まれた状態となる。おむつ１を折り畳む際には、長手方向（上下方向）において、中央位置ＣＬＬ１０及び折り返し線Ｆ２にて吸収性本体１０が折り曲げられる。中央位置ＣＬＬ１０は、吸収性本体１０の低剛性領域１１ｌｒと重複する位置に配置されているため、吸収性本体１０は中央位置ＣＬＬ１０にてしっかりと折り目が形成され、折れ曲がり状態が維持されやすい。
【００５９】
一方、折り返し線Ｆ２（折り曲げ位置）は、腹側において全体が低剛性領域１１ｌｒと重複する位置に配置されているのに対して、背側においては一部が高剛性領域１１ｈｒと重複する位置に配置されている。すなわち、図８に示されるように、吸収性本体１０のうち前後方向の腹側に位置する腹側部１０ｆ（一方側部）と、前後方向の背側に位置する背側部１０ｂ（他方側部）とは、折り返し線Ｆ２（折り曲げ位置）において互いに剛性が異なる部分を有している。図８の場合、腹側部１０ｆ（一方側部）では剛性が低いため、折り曲げ位置において折り目が付きやすく折れ曲がり状態が維持されやすくなる。一方、背側部１０ｂ（他方側部）では剛性が高いため、折り曲げ位置において折り目が付きにくく折れ曲がり状態から平面状態に戻りやすくなる。したがって、折り曲げ位置において一方側部及び他方側部が両方とも剛性が高くなっている場合と比較して、おむつ１の折り畳み状態が維持されやすくなる。また、折り曲げ位置において一方側部及び他方側部が両方とも剛性が低くなっている場合と比較して、おむつ１を展開しやすくなる。これにより、従来のおむつと比較して、包装時において折り畳み状態が維持されやすく、使用時において折り畳み状態から展開しやすいおむつ１が実現される。
【００６０】
また、おむつ１では、図８に示されるように、折り曲げ位置（折り返し線Ｆ２）を含む境界領域Ｂにおいて、腹側部１０ｆが内側に、背側部１０ｂが外側になるように吸収性本体１０が折り曲げられている。したがって、折り曲げ位置において、内側は折れ曲がり状態が維持されやすく、外側は平面状態に戻りやすくなっている。吸収性本体１０（おむつ１）は所定の厚みを有しているため、境界領域Ｂでは、内側の曲率が外側の曲率よりも大きくなる。そのため、おむつ１のように内側の腹側部１０ｆを外側の背側部１０ｂよりも折れ曲がりやすい構造とすることにより、境界領域Ｂにおいてより自然な折れ曲がり形状を形成しやすくすることができる。
【００６１】
なお、おむつ１の折り曲げ位置（折り返し線Ｆ２）において、腹側部１０ｆと背側部１０ｂとで剛性が異なるのは、図３で説明したように、吸収性コア１５が長手方向（縦方向）において、腹側にずれて配置されているためである。したがって、吸収性コア１５が長手方向の背側にずれて配置されていたとしても、腹側部１０ｆ（一方側部）と背側部１０ｂ（他方側部）とで剛性を異ならせることが可能であり、この場合も包装時において折り畳み状態が維持されやすく、使用時において折り畳み状態から展開しやすいおむつを実現することは可能である。
【００６２】
また、おむつ１では、図７に示されるように、背側の折り曲げ位置（折り返し線Ｆ２）において、吸収体１１（吸収性コア１５）の左右方向の一部のみが高剛性領域１１ｈｒとなっている。具体的には、吸収体１１（吸収性コア１５）の左右方向の両端部が高剛性領域１１ｈｒとなっており、その間の左右方向の中央部は低剛性領域１１ｌｒとなっている。
【００６３】
おむつ１の着用時において、吸収体１１（吸収性コア１５）における折り曲げ位置（折り返し線Ｆ２）は着用者の肌と直接接触する部位であるため、高剛性領域１１ｈｒが大きく形成されていると、硬い高剛性領域１１ｈｒが着用者の肌と接触しやすく、着用者に違和感や不快感を生じさせやすくなる。そこで、おむつ１では、折り曲げ位置（折り返し線Ｆ２）において、吸収体１１（吸収性コア１５）の左右方向の端部にのみ高剛性領域１１ｈｒを形成することで、着用時に着用者の肌と高剛性領域１１ｈｒとの接触面積がなるべく小さくなるようにして、着用者に不快感を生じにくくさせている。
【００６４】
また、高剛性領域１１ｈｒが左右方向の両端部に設けられることで、折り曲げ位置（Ｆ２）において、吸収性本体１０が安定して折れ曲がりやすくなるようにしている。仮に、左右方向の片側の端部にのみ高剛性領域１１ｈｒが形成されていたとすると、吸収性本体１０は左右方向の一方側では折れ曲がりやすく、左右方向の他方側では折れ曲がりにくくなってしまう。この場合、おむつ１をきれいに折り畳むことが困難になり、包装しにくくなるおそれがある。これに対して、本実施形態のおむつ１では、左右方向についてほぼ対称に高剛性領域１１ｈｒが形成されているため、上述のような問題は生じにくく、折り曲げ位置にて安定して吸収性本体１０を折り曲げることができる。
【００６５】
さらに、折り曲げ位置において、吸収体１１（吸収性コア１５）の左右方向の中央部が低剛性領域１１ｌｒとなっていることにより、当該中央部では、着用時における肌触りを良好にすると共に、吸収体１１の吸水性能を維持することができる。そして、左右方向の両端部に設けられた高剛性領域１１ｈｒの間に低剛性領域１１ｌｒが設けられていることにより、少なくとも当該中央部では吸収体１１（吸収性本体１０）が折れ曲がりやすくなっている。これにより、左右方向の全範囲に高剛性領域１１ｈｒが設けられている場合と比較して、吸収性本体１０を折り曲げ位置において或る程度折り曲げやすくすることができる。
【００６６】
また、おむつ１では、折り曲げ位置（折り返し線Ｆ２）が上下方向においてベルト部３２よりも下側に設けられている。図６では、ベルト部３２の左右方向における側端３２ｅｓが内側に折り返された状態で、上下方向において、側端３２ｅｓの下端部よりも折り曲げ位置（折り返し線Ｆ２）の方が下方に設けられている。これにより、吸収性本体１０を折り曲げ位置（折り返し線Ｆ２）にて折り返す際に、ベルト部３２が上下方向に折り返されることが抑制される。したがって、吸収性本体１０とベルト部３２とを一緒に上下方向に折り返した場合よりも、折る部材の数が少なくなり、おむつ１の折り畳み状態が維持されやすくなり、よりコンパクトな包装状態を維持することができる。
【００６７】
また、おむつ１では、ベルト部３２の両側端３２ｅｓ、３２ｅｓが、吸収性本体１０の肌側に位置するように折り返されている。つまり、ベルト部３２の両側端３２ｅｓ、３２ｅｓを、それぞれおむつ１の内側に折り込んでいる。これによって、包装材からおむつ１を取り出して着用しようとする際には、図５に示すように、吸収性物品１０の肌側に位置するように折り込まれたベルト部３２の厚みによって、おむつ１の腹側部分と背側部分を離間させた状態にできる。開口側からおむつ１を見ると、離間した腹側部分と背側部分を認識しやすくなるため、腹側部分の端１０ｅｆと背側部分の端１０ｅｂを掴みやすくなり、包装状態のおむつ１を着用状態に広げやすくなる。
【００６８】
また、図８に示されるように、背側部１０ｂにおいて、吸収体１１（吸収性コア１５）の高剛性領域１１ｈｒと低剛性領域１１ｌｒとの長手方向における境界は、折り曲げ位置（折り返し線Ｆ２）を含む境界領域Ｂに位置している。当該境界では、吸収体１１の剛性が大きく変化することから、吸収体１１が上下方向に折れ曲がる際の折れ曲がり基点が形成されやすくなる。したがって、境界領域Ｂに高剛性領域１１ｈｒと低剛性領域１１ｌｒとの境界が位置していることによって、該境界領域Ｂにおいて吸収性本体１０を折れ曲がりやすくすることができる。これにより、おむつ１の折り畳み状態が維持されやすくなり、よりコンパクトな包装状態を維持することができる。
【００６９】
また、図３Ａに示されるように、おむつ１の展開状態において、レッグギャザー部３７に設けられた複数の弾性部材（糸ゴム３８）は、各々長手方向の中央位置ＣＬＬ１０よりも腹側（前側）の長さＬ３８ｆと、長手方向の中央位置ＣＬＬ１０よりも背側（後側）の長さＬ３８ｂとで長さが異なっている。そして、当該糸ゴム３８は、長手方向において、長さＬ３８ｆ及び長さＬ３８ｂの全範囲で伸縮力を発現している。したがって、レッグギャザー部３７に設けられた弾性部材（糸ゴム３８）によって作用する長手方向における伸縮力の大きさは、長手方向の中央位置ＣＬ１１０より前側と、長手方向の中央位置ＣＬ１１０より後側とで異なる。これにより、中央位置ＣＬＬ１０の前後でおむつ１の長手方向における収縮寸法が異なるようになり、図１のようなパンツ型の状態において、吸収性本体１０の腹側の端１０ｅｆと背側の端１０ｅｂとの位置が上下にずれやすくなる。おむつ１の上端の位置が背側と腹側とでずれるため、おむつ１を着用する際に胴回り開口ＢＨを前後に開きやすくなる。
【００７０】
また、おむつ１では、折り畳み状態において、ベルト部３２の両側端３２ｅｓ、３２ｅｓが、吸収性本体１０の肌側に位置するように折り返されている。つまり、ベルト部３２の両側端３２ｅｓ、３２ｅｓを、それぞれおむつ１の内側に折り込んでいる。これによって、包装材からおむつ１を取り出して着用しようとする際には、図５に示すように、吸収性本体１０の肌側に位置するように折り込まれたベルト部３２の厚みによって、おむつ１の腹側部分と背側部分を離間させた状態にできる。開口側からおむつ１を見ると、離間した腹側部分と背側部分を認識しやすくなるため、腹側部分の端１０ｅｆと背側部分の端１０ｅｂを掴みやすくなり、包装状態のおむつ１を着用状態に広げやすくなる。
【００７１】
また、図２Ａに示されるように、本実施形態のおむつ１では、吸収性本体１０の腹側の端部１０ｅＬｆが、一対の第１接続部ｊｆによってベルト部３２に接続されており、吸収性本体１０の背側の端部１０ｅＬｂが、一対の第２接続部ｊｂによってベルト部３２に接続されている。このとき、一対の第１接続部ｊｆは、開口側から反開口側向けて横方向の外側に傾斜しており、一対の第２接続部ｊｂは、開口側から反開口側に向けて横方向の外側に傾斜している。これによって、パンツ型状態のおむつ１を、ショーツやブリーフのような下着に近い形状とすることができる。
【００７２】
また、第１接続部ｊｆが横方向の外側に傾斜する角度と、第２接続部ｊｂが横方向の外側に傾斜する角度が異なっているため、パンツ型状態のおむつ１の腹側と背側の区別をしやすくしている。具体的には、第１接続部ｊｆと横方向に沿った直線とがなす角度のうち小さい方の角度θｆは４０度、第２接続部ｊｂと横方向に沿った直線とがなす角度のうち小さい方の角度θｂは３４度である。なお、図１及び図２Ａを用いて角度θｆ及び角度θｂを説明したが、包装状態のおむつ１においても角度θｆ及び角度θｂは、ほぼ変わらない。
【００７３】
また、図１及び図２Ａに示されるように、本実施形態のおむつ１のベルト部３２は、横方向に伸縮する糸ゴム３３を有しており、吸収性本体１０の両端部１０ｅＬｆ、１０ｅＬｂは、横方向に伸縮する伸縮部材が設けられていない。つまり、胴回り開口ＢＨの端は、伸縮可能なベルト部３２の端３２ｅｗと非伸縮の吸収性本体１０の端１０ｅｆ、１０ｅｂから構成されている。これによって、糸ゴム３３を有することから、滑らかに変形させることができるベルト部３２と、伸縮部材を有しないことから、滑らかに変形しづらくて、皺などを生じさせてしまう吸収性本体１０とは、ベルト部３２の両側端３２ｅｓを内側に折り返した際の性状が異なっている。
【００７４】
図５に示すように、開口側からおむつ１を見ると、性状が異なる様子を視認することができるため、ベルト部３２と吸収性本体１０のそれぞれの部分を認識しやすくなる。例えば、包装材からおむつ１を取り出した状態において、図５に示すように、横方向の中央部に位置する吸収性本体１０の端１０ｅｆ、１０ｅｂを認識しやすい。そのため、おむつ１を着用しようとする際には、吸収性本体１０の端１０ｅｆ、１０ｅｂを掴むことによって、着用状態に広げやすくなる。
【００７５】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのは言うまでもない。例えば、以下に示すような変形が可能である。
【００７６】
上述の実施形態では、ベルト部３２の両側端３２ｅｓが吸収性本体１０の肌側に位置するように折り返したが、これに限られない。例えば、ベルト部３２の両側端３２ｅｓを吸収性本体１０の非肌側に位置するように折り返してもよい。
【００７７】
上述の実施形態では、ベルト部３２同士が重なった重畳部Ｐを設けることにしたが、これに限られない。ベルト部３２同士が重ならないように横方向の内側に折り返すものであってもよい。例えば、ベルト部３２を横方向の内側に複数回折り返すことによって、ベルト部３２の横方向の長さを短くしてもよい。
【００７８】
また、上述の実施形態では、ベルト部３２の両側端３２ｅｓの反開口側の端が境界部Ｂに接することにしたが、これに限られない。ベルト部３２から所定距離だけ離れた位置に境界部Ｂを設けてもよい。このような場合でも、包装状態のおむつ１を維持しやすくすることができる。
【符号の説明】
【００７９】
１  おむつ（吸収性物品）、
１０  吸収性本体、
１０ｅｆ、１０ｅｂ  端、１０ｅＬｆ、１０ｅＬｂ  端部、
１０ｆ  腹側部（一方側部）、１０ｂ  背側部（他方側部）、
１１  吸収体、１１ｈｒ  高剛性領域、１１ｌｒ  低剛性領域、
１２  トップシート、１４  バックシート、１５  吸収性コア、１６  外装シート、
３０  シート部材、３０ｅＷ  端部、
３２  ベルト部、３２ｅｆ  横端（境界線）、３２ｅｂ  横端（境界線）、
３２ｅｗ  端、３２ｅｓ  側端、３２ｅＬｆ、３２ｅＬｂ  端部、
３３  糸ゴム（弾性部材）、
３７  レッグギャザー部、
３７ｅＬｆ、３７ｅＬｂ  端部、
３８  糸ゴム（弾性部材）、
ｊｆ  第１接続部、ｊｂ  第２接続部、
ＢＨ  胴回り開口部、ＬＨ  脚回り開口部、
ＣＬＬ１０  中央位置（吸収性本体）、ＣＬＬ１５  中央位置（吸収性コア）、
Ｆ１、Ｆ２  折り返し線、ＦＬ  折り返し線、ＦＬＢ  折り返し部、
Ｂ  境界部、Ｔ  折り返し部、Ｕ  非折り返し部
【図１】
2018000592.tif 000003
【図２】
2018000592.tif 000004
【図３】
2018000592.tif 000005
【図４】
2018000592.tif 000006
【図５】
2018000592.tif 000007
【図６】
2018000592.tif 000008
【図７】
2018000592.tif 000009
【図８】
2018000592.tif 000010